(57)【要約】【課題】  記録媒体の端縁から外側にはみ出したインクをプラテンに十分に染み込ませることができるインクジェット式記録装置およびインクジェット記録方法を提供する。【解決手段】  インクジェット式記録装置１０は、記録ヘッド１１をガイド軸１２に沿って移動して、記録ヘッド１１からインク１４を吐出させることで記録用紙１３に縁無し印刷を行う際に、記録用紙１３の外側にはみ出したインク１４をプラテン１５に染み込ませるように構成され、プラテン１５にフッ素樹脂系、シリコーン樹脂系およびシリコーンオイルからなる群から選ばれる少なくとも一種類の樹脂成分を含有する分散液または溶液が含浸されている。【選択図】      図１
2005074889.tif 000002
【特許請求の範囲】
【請求項１】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、前記プラテンにフッ素樹脂系、シリコーン樹脂系およびシリコーンオイルからなる群から選ばれる少なくとも一種類の樹脂成分を含有する分散液または溶液が含浸されたことを特徴とするインクジェット式記録装置。
【請求項２】
前記分散液または溶液が、フッ素樹脂系、シリコーン樹脂系およびシリコーンオイルからなる群から選ばれる少なくとも一種類の樹脂成分を沸点１５０℃以上の溶剤で溶解または分散したことを特徴とする請求項１に記載のインクジェット式記録装置。
【請求項３】
前記沸点１５０℃以上の溶剤が、アルコール類および石油溶剤類から選ばれる少なくとも１種類の溶剤を含むことを特徴とする請求項２に記載のインクジェット式記録装置。
【請求項４】
前記分散液または溶液が、さらにＨＬＢが８未満のノニオン系界面活性剤を含むことを特徴とする請求項１〜３のいずれかに記載のインクジェット式記録装置。
【請求項５】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、あらかじめ前記プラテンにフッ素樹脂系、シリコーン樹脂系およびシリコーンオイルからなる群から選ばれる少なくとも一種類の樹脂成分を含有する分散液または溶液が含浸されたことを特徴とするインクジェット式記録方法。
【請求項６】
前記分散液または溶液が、フッ素樹脂系、シリコーン樹脂系およびシリコーンオイルからなる群から選ばれる少なくとも一種類の樹脂成分を沸点１５０℃以上の溶剤で溶解または分散したことを特徴とする請求項５に記載のインクジェット式記録方法。
【請求項７】
前記沸点１５０℃以上の溶剤が、アルコール類および石油溶剤類から選ばれる少なくとも１種類の溶剤を含むことを特徴とする請求項６に記載のインクジェット式記録方法。
【請求項８】
前記分散液または溶液が、さらにＨＬＢが８未満のノニオン系界面活性剤を含むことを特徴とする請求項５〜７のいずれかに記載のインクジェット式記録方法。
【発明の詳細な説明】
【技術分野】
【０００１】
本発明はインクジェット式記録装置およびインクジェット記録方法に関し、特に記録ヘッドをガイド軸に沿って移動して、記録ヘッドから顔料インクを吐出させることで記録媒体に縁無し印刷を行うインクジェット式記録装置およびインクジェット記録方法に関する。
【背景技術】
【０００２】
記録媒体における前後左右それぞれの端縁の余白をゼロにして印刷できるインクジェット式記録装置が開示されている（例えば、特許文献１、特許文献２参照）。
これらの公報に開示された記録装置によると、キャリッジに搭載された記録ヘッドの走査範囲を、記録媒体における左右の両端縁より外側に外れる位置まで移動するように設定して印刷動作を実行するように構成されている。
【０００３】
このインクジェット式記録装置で印刷を行う際には、図５（Ａ）に示すように、記録媒体としての記録用紙１００が矢印Ａの副走査方向に搬送され、記録用紙１００の前縁１００Ａが記録ヘッド１０１の下方に到達したとき、キャリッジが矢印Ｂの主走査方向に沿って往復動するとともに、記録ヘッド１０１からインク１０２を吐出させて記録用紙１００への印刷を開始する。
【０００４】
この際、記録用紙１００における前縁１００Ａの余白をゼロにして印刷を行うために、記録用紙１００の前縁１００Ａから外側にインク１０２をはみ出させる。
【０００５】
この状態から記録用紙１００が矢印Ａの副走査方向に搬送されることにより、図５（Ｂ）の状態になると、記録用紙１００における側縁１００Ｂの余白をゼロにして印刷を行うために、矢印Ｂの主走査方向に沿うキャリッジの往復動距離を適宜調整することにより、記録用紙１００の側縁１００Ｂから外側にインク１０２をはみ出させる。
【０００６】
さらに、この状態から記録用紙１００が矢印Ａの副走査方向に搬送されることにより、図５（Ｃ）の状態になると、記録用紙１００における後縁１００Ｃの余白をゼロにして印刷を行うために、記録用紙１００の後縁１００Ｃから外側にインク１０２をはみ出させる。
【０００７】
【特許文献１】特開平７−９７１２号公報
【０００８】
【特許文献２】特開平８−１６９１５５号公報
【発明の開示】
【発明が解決しようとする課題】
【０００９】
ここで、記録用紙１００の前縁１００Ａ、側縁１００Ｂや後縁１００Ｃから外側にはみ出したインク１０２は、図６に示すプラテン１０４に染み込ませる。例えば特許文献１では、プラテン１０４にインク吸収体として多孔質セラミック等を用いることが示されている。従来は、この構成で縁無し印刷を行う際に顔料インクを用いた場合、特に夏季等で室温が上昇した使用環境下では顕著に、プラテン１０４上に吐出された顔料インク１０２中の水分が蒸発して、顔料分が析出していた。
【００１０】
このため、図７に示すように顔料インク１０２をプラテン１０４に十分に染み込ませることができない場合があり、図８に示すようにプラテン１０４の表面にインク（顔料）１０２が堆積（以下、「山積り１０５」という）する場合があった。
【００１１】
このように、プラテン１０４の表面に山積り１０５が発生すると、次の記録用紙１００に印刷する際に、山積り１０５に記録用紙１００の端面が接触して、記録用紙１００の端面が汚れてしまうことが考えられる。
【００１２】
本発明は、前述した問題点に鑑みてなされたものであり、その目的は、記録媒体の端縁から外側にはみ出したインクをプラテンに十分に染み込ませることができる顔料インクを用いたインクジェット式記録装置およびインクジェット記録方法を提供することにある。
【課題を解決するための手段】
【００１３】
前述した目的を達成するために、本発明のインクジェット式記録装置は、上述の様に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、前記プラテンにフッ素樹脂系、シリコーン樹脂系およびシリコーンオイルからなる群から選ばれる少なくとも一種類の樹脂成分を含有する分散液または溶液が含浸されたことを特徴としている。
【００１４】
ここで挙げている樹脂成分を含有する分散液または溶液は、プラテンに含浸させることで撥インク性を向上させる作用がある。従って、このように構成されたインクジェット式記録装置においては、プラテンにこのような樹脂成分を含有する分散液または溶液を含浸させると、プラテン上に着弾した顔料インクが流れ落ち易く、プラテン表面に乾燥・増粘する前にプラテン内部に浸透する。その結果、プラテンの表面に顔料インクが山積りになることを阻止できるので、後続の記録媒体が山積りに接触することを防いで記録媒体が汚れてしまうことを防止できる。
【００１５】
また、本発明のインクジェット式記録装置は、好ましい態様として、上述の様に記載したように、前記分散液または溶液が、フッ素樹脂系、シリコーン樹脂系およびシリコーンオイルからなる群から選ばれる少なくとも一種類の樹脂成分を沸点１５０℃以上の溶剤で溶解または分散したことを特徴としている。
【００１６】
このように沸点１５０℃以上の揮発性の低い高沸点溶剤で溶解または分散することで、溶剤成分の蒸散を少なくしてプラテンに顔料インクを効率よく浸透させることができる。
【００１７】
さらに、上述の様に記載したように、前記沸点１５０℃以上の溶剤が、アルコール類もしくは石油溶剤類から選ばれる少なくとも１種類の溶剤を含むことで、臭気が少なく安全性の高い分散液または溶液とすることができる。
【００１８】
また、上述の様に記載したように、前記分散液または溶液が、さらにＨＬＢが８未満のノニオン系界面活性剤を含むことを特徴としている。
【００１９】
このような、ＨＬＢが８未満のノニオン系界面活性剤は、疎水性の溶媒中において、乳化分散作用を有することが、一般に知られている。従って、このようなノニオン系界面活性剤を含むことで、本発明で溶液や分散液として使用するアルコール類や石油類中において、前述の分散しにくい樹脂成分を容易に分散させることができる。
【００２０】
一方、本発明のインクジェット式記録方法は、上述の様に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、あらかじめ前記フッ素樹脂系、シリコーン樹脂系およびシリコーンオイルからなる群から選ばれる少なくとも一種類の樹脂成分を含有する分散液または溶液が含浸されたことを特徴としている。
【００２１】
ここで挙げている樹脂成分を含有する分散液または溶液は、プラテンに含浸させることで撥インク性を向上させる作用がある。従って、このように構成されたインクジェット式記録装置においては、プラテンにこのような樹脂成分を含有する分散液または溶液を含浸させると、プラテン上に着弾した顔料インクが流れ落ち易く、プラテン表面に乾燥・増粘する前にプラテン内部に浸透する。その結果、プラテンの表面に顔料インクが山積りになることを阻止できるので、後続の記録媒体が山積りに接触することを防いで記録媒体が汚れてしまうことを防止できる。
【００２２】
また、本発明のインクジェット式記録方法は、好ましい態様として、上述の様に記載したように、前記分散液または溶液が、フッ素樹脂系、シリコーン樹脂系およびシリコーンオイルからなる群から選ばれる少なくとも一種類の樹脂成分を沸点１５０℃以上の溶剤で溶解または分散したことを特徴としている。
【００２３】
このように沸点１５０℃以上の揮発性の低い高沸点溶剤で溶解または分散することで、溶剤成分の蒸散を少なくしてプラテンに顔料インクを効率よく浸透させることができる。
【００２４】
さらに、上述の様に記載したように、前記沸点１５０℃以上の溶剤が、アルコール類もしくは石油溶剤類から選ばれる少なくとも１種類の溶剤を含むことで、臭気が少なく安全性の高い分散液または溶液とすることができる。
【００２５】
また、上述の様に記載したように、前記分散液または溶液が、さらにＨＬＢが８未満のノニオン系界面活性剤を含むことを特徴としている。
このような、ＨＬＢが８未満のノニオン系界面活性剤は、疎水性の溶媒中において、乳化分散作用を有することが、一般に知られている。従って、このようなノニオン系界面活性剤を含むことで、本発明で溶液や分散液として使用するアルコール類や石油類中において、前述の分散しにくい樹脂成分を容易に分散させることができる。
【発明の効果】
【００２６】
本発明のインクジェット式記録装置は、上述の様に記載したようにプラテンにフッ素樹脂系、シリコーン樹脂系およびシリコーンオイルからなる群から選ばれる少なくとも一種類の樹脂成分を含有する分散液または溶液が含浸させたことにより、プラテン上に着弾した顔料インクが流れ落ち易く、プラテン表面に乾燥・増粘する前にプラテン内部に浸透する。その結果、プラテンの表面に顔料インクが山積りになることを阻止できるので、後続の記録媒体が山積りに接触することを防いで記録媒体が汚れてしまうことを防止できる。
【００２７】
よって、特に夏季等で室温が上昇した場合に、プラテン上に吐出された顔料インクから水分が蒸発してインク中の顔料濃度が上昇しても、顔料の析出を抑制してプラテンに十分に効率よく染み込ませることができる。
【発明を実施するための最良の形態】
【００２８】
以下、本発明に係る実施形態を図面に基づいて詳細に説明する。なお、以下に説明する各実施形態において、既に図１において説明した部材等については、図中に同一符号あるいは相当符号を付すことにより説明を簡略化あるいは省略する。
【００２９】
図１および図２に示すように、本発明に係る顔料インクを用いたインクジェット式記録装置１０は、記録ヘッド１１をガイド軸１２に沿って矢印Ｂの主走査方向に移動して、記録ヘッド１１からインクを吐出させることで記録用紙（記録媒体）１３に縁無し印刷を行う際に、記録用紙１３の外側にはみ出したインク１４をプラテン１５に染み込ませるように構成されている。
【００３０】
記録ヘッド１１にはキャリッジ１６が設けられ、このキャリッジ１６がガイド軸１２に移動自在に支持されている。これにより、記録ヘッド１１をガイド軸１２に沿って矢印Ｂの主走査方向に走査することができる。
インクとしては着色剤に顔料を用いたものが使用される。
キャリッジ１６にはブラックインクカートリッジ１７やカラーインクカートリッジ１８が着脱自在に装填されている。ブラックインクカートリッジ１７の先端は記録ヘッド１１のノズル１１Ａに連通されている。
【００３１】
また、カラーインクカートリッジ１８にはシアンのカートリッジ１８Ａ、マゼンタのカートリッジ１８Ｂおよびイエローのカートリッジ１８Ｃが備えられ、それぞれのカートリッジ１８Ａ、１８Ｂ、１８Ｃの先端は記録ヘッド１１の各ノズル１１Ｂ、１１Ｃ、１１Ｄに連通されている。
【００３２】
ガイド軸１２の下方には、プラテン１５がガイド軸１２に平行に配置されている。プラテン１５は、一例として発泡性樹脂が該当するが、布、綿やスポンジ等のその他の材料を使用することも可能である。
【００３３】
このプラテン１５には、一方の端部１５Ａから他方の端部１５Ｂに渡って全域に樹脂成分を含有する分散液または溶液が含浸されている。樹脂成分としては、フッ素樹脂系、シリコーン樹脂系およびシリコーンオイルからなる群から選ばれる少なくとも一種類の樹脂成分が該当する。
【００３４】
これらの樹脂成分であるフッ素樹脂系、シリコーン樹脂系、シリコーンオイルは、それぞれ一種類のみを沸点１５０℃以上の溶剤で溶解または分散させ、プラテン１５に含浸させてもよいし、二種類以上を混合して含浸させてもよいが、フッ素樹脂系、シリコーン樹脂系およびシリコーンオイルからなる群から選ばれる少なくとも一種類を沸点１５０℃以上の溶剤で、アルコール類もしくは石油溶剤類から選ばれる少なくとも１種類の溶剤が含み、さらにＨＬＢが８未満のノニオン系界面活性剤を含む混合物をプラテン１５に含浸させた方が好ましい。
【００３５】
該樹脂成分のうち、フッ素樹脂系として詳しくは、ポリテトラフルオロエチレン、パーフルオロエチレン−プロペンコポリマー、パーフルロアルコキシアルカン、エチレン−テトラフルオロエチレンコポリマー、ポリビニリデンフルオライド、エチレン−クロロトリフルオロエチレンコポリマーが挙げられる。
またシリコーン樹脂系として詳しくは、メチルシリコーン、アクリルシリコーンが挙げられる。
【００３６】
また、シリコーンオイルとして詳しくは、ケイ素原子に結合した有機基の種類により、ストレートシリコーンオイルと変性シリコーンオイルに大別でき、ストレートシリコーンオイルとは、メチル基、フェニル基、水素原子を置換基として結合したものをいい、変性シリコーンオイルとは、ストレートシリコーンオイルから二次的に誘導された構成部分をもつものが挙げられる。
該沸点１５０℃以上の溶剤のうち、アルコール類として詳しくは、１−デカノール、ベンジルアルコールが挙げられる。
【００３７】
また、石油溶剤類として詳しくは、ケロシン、ソルベントナフサが挙げられる。
該ＨＬＢが８未満のノニオン系界面活性剤とは、アセチレングリコール類を示し、アセチレングリコール類は、下記の式（１）で表される化合物が挙げられる。
【００３８】
【化１】
2005074889.tif 000003
（上記式中、Ｒ１、Ｒ２、Ｒ３、及びＲ４はそれぞれ独立してアルキル基を示し、ｍ１＋ｎ１は０から３０である。）
またアセチレンアルコール類は、下記の式（２）で表される化合物が挙げられる。
【００３９】
【化２】
2005074889.tif 000004
（上記式中、Ｒ５、Ｒ６はそれぞれ独立してアルキル基を示し、ｍ２は０から３０である。）
上記の式（１）で表されるアセチレングリコール類は市販されているものを用いることができ、詳しくはサーフィノール１０４、サーフィノール１０４Ｅ、サーフィノール１０４Ｈ、サーフィノール１０４Ａ、サーフィノール１０４ＢＣ、サーフィノール１０４ＤＰＭ、サーフィノール１０４ＰＡ、サーフィノール１０４Ｓ、サーフィノール４２０、サーフィノール４４０（以上全て商品名、エアープロダクツアンドケミカルズ社製）等が挙げられる。
【００４０】
以上述べたフッ素樹脂系、シリコーン樹脂系およびシリコーンオイルからなる群から選ばれる少なくとも一種類と、沸点１５０℃以上の溶剤で、アルコール類もしくは石油溶剤類から選ばれる少なくとも１種類の溶剤からなる群から選ばれる少なくとも一種類と、さらにＨＬＢが８未満のノニオン系界面活性剤を含む混合物を用いる場合、その混合比率はプラテン１５への含浸作業性・用いる顔料インク種類等に応じて適宜決定されてよい。
【００４１】
この顔料インクを用いたインクジェット式記録装置１０によれば、キャリッジ１６をガイド軸１２に沿って矢印Ｂの主走査方向に移動させることにより、記録ヘッド１１をガイド軸１２に沿って走査し、併せて記録用紙１３を記録ヘッド１１の走査方向に直交する副走査方向（矢印Ａ）へ紙送りする際に、それぞれのカートリッジ１７、１８Ａ〜１８Ｃから各ノズル１１Ａ〜１１Ｂを介してインクを吐出することにより記録用紙１３に印刷を行うことができる。
【００４２】
次に、顔料インクを用いたインクジェット式記録装置１０のインクジェット記録方法を図２〜図４に基づいて説明する。
【００４３】
顔料インクを用いたインクジェット式記録装置１０で印刷を行う際には、図２（Ａ）に示すように、矢印Ａの副走査方向に搬送されて記録用紙１３の先端１３Ａが記録ヘッド１１の下方に到達したとき、キャリッジが矢印Ｂの主走査方向に沿って往復動するとともに、記録ヘッド１１から顔料インク１４を吐出させて記録用紙１３への印刷を開始する。この際、記録用紙１３における前縁１３Ａの余白をゼロにして印刷を行うために、記録用紙１３の前縁１３Ａから外側に顔料インク１４をはみ出させる。
【００４４】
この状態から記録用紙１３が矢印Ａの副走査方向に搬送されることにより、図２（Ｂ）の状態になると、記録用紙１３における側縁１３Ｂの余白をゼロにして印刷を行うために、矢印Ｂの主走査方向に沿うキャリッジの往復動距離を適宜調整することにより、記録用紙１３の側縁１３Ｂから外側１４に顔料インクをはみ出させる。
【００４５】
さらに、この状態から記録用紙１３が矢印Ａの副走査方向に搬送されることにより、図２（Ｃ）の状態になると、記録用紙１３における後縁１３Ｃの余白をゼロにして印刷を行うために、記録用紙１３の後縁１３Ｃから外側に顔料インク１４をはみ出させる（図３参照）。
【００４６】
ここで、記録用紙１３の前縁１３Ａ、側縁１３Ｂや後縁１３Ｃから外側にはみ出した顔料インク１４は、図３に示すプラテン１５に染み込ませる。プラテン１５には、一方の端部１５Ａから他方の端部１５Ｂに渡って全域に樹脂成分を含有する分散液または溶液として、上述したフッ素樹脂系、シリコーン樹脂系およびシリコーンオイルからなる群から選ばれる少なくとも一種類が含浸されている。
【００４７】
このため、図４に示すように、記録用紙１３の前縁１３Ａ、側縁１３Ｂや後縁１３Ｃから外側にはみ出した顔料インク１４をプラテン１５に効率よく染み込ませることができる。よって、顔料インクを用いたインクジェット式記録装置１０の使用環境が、特に夏季等で室温が上昇した場合に、プラテン上に吐出された顔料インクから水分が蒸発して顔料濃度が上昇しても、顔料分の析出を抑制して顔料インク１４をプラテン１５に十分に染み込ませることができる。
【００４８】
従って、従来技術のように、プラテン１５の表面にインク（顔料）が山積りになることを防止できる。これにより、次の記録用紙１３に印刷する際に、山積りに記録用紙１３の端面が接触して、記録用紙１３の端面が汚れてしまうことを防止できる。
【００４９】
また、プラテン１５には、一方の端部１５Ａから他方の端部１５Ｂに渡って全域に樹脂成分を含有する分散液または溶液を含浸させている。このため、記録用紙１３の前縁１３Ａ、側縁１３Ｂや後縁１３Ｃからプラテン１５に染み込んだインクを、プラテン１５の一方の端部１５Ａから他方の端部１５Ｂの全域に染み込ませることができる。従って、プラテン１５に多量の顔料インクを染み込ませることができるので、プラテン１５を交換するサイクルを延ばすことができる。
【００５０】
なお、前記実施形態では、記録媒体として記録用紙１３を例に説明したが、これに限らないで、その他の記録媒体に適用することも可能である。
さらに、本発明は、前述した実施形態に限定されるものでなく、適宜な変形，改良等が可能であり、前述した実施形態において例示した記録ヘッド，ガイド軸およびプラテン等の材質，形状，寸法，形態，数，配置個所，厚さ寸法等は本発明を達成できるものであれば任意であり、限定されない。
【００５１】
＜実施例＞
次に、実施例１〜８と比較例１〜２について説明する。
【００５２】
実施例１〜８および比較例１〜２のプラテン１５として、スポンジ等の発砲材を使用した。
【００５３】
また、実施例１〜８および比較例１〜２の顔料インクとして、ブラックインクカートリッジ１７にブラック顔料インク、シアンのカートリッジ１８Ａにシアン顔料インク、マゼンタのカートリッジ１８Ｂにマゼンタ顔料インク、イエローのカートリッジ１８Ｃにイエロー顔料インクをそれぞれ充填した。
【００５４】
ブラック顔料インクは、カーボンブラックを６重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５５】
また、マゼンタ顔料インクは、Ｃ．Ｉ．ピグメントレッド１２２を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５６】
さらに、シアン顔料インクは、Ｃ．Ｉ．ピグメントブルー１５：３を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５７】
また、イエロー顔料インクは、Ｃ．Ｉ．ピグメントイエロー７４を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００５８】
一方、実施例１〜８には以下に示す樹脂成分を含有する分散液または溶液を含浸させたプラテン１５を使用し、比較例１には樹脂成分を含有する分散液または溶液を含浸させないプラテン１５を、比較例２には純水を含浸させたプラテン１５を使用した。
【００５９】
（実施例１）
樹脂成分を含有する分散液または溶液として、フッ素樹脂系であるポリテトラフルオロエチレンを２重量％、石油溶剤類であるケロシンを９８重量％とした混合液を用いた。
【００６０】
（実施例２）
樹脂成分を含有する分散液または溶液として、シリコーン樹脂系であるメチルシリコーンを１重量％、アルコール類である１−デカノールを９９重量％とした混合液を用いた。
【００６１】
（実施例３）
樹脂成分を含有する分散液または溶液として、フッ素樹脂系であるパーフルロアルコキシアルカンを０．５重量％、石油溶剤類であるケロシンを９５．５重量％とした混合液を用いた。
【００６２】
（実施例４）
樹脂成分を含有する分散液または溶液として、シリコーンオイルであるメチルフェニルシリコーンオイルを５０重量％、アルコール類であるベンジルアルコールを５０重量％とした混合液を用いた。
【００６３】
（実施例５）
樹脂成分を含有する分散液または溶液として、シリコーンオイルであるジメチルシリコーンオイルを５０重量％、石油溶剤類であるケロシンを５０重量％とした混合液を用いた。
【００６４】
（実施例６）
樹脂成分を含有する分散液または溶液として、フッ素樹脂系であるポリテトラフルオロエチレンを１０重量％、アルコール類である１−デカノールを８９．９重量％、アセチレングリコール類であるサーフィノール１０４（商品名、エアープロダクツアンドケミカルズ社製）を０．１重量％とした混合液を用いた。
【００６５】
（実施例７）
樹脂成分を含有する分散液または溶液として、シリコーン樹脂系であるメチルシリコーンを３重量％、アルコール類である１−デカノールを９６．９重量％、アセチレングリコール類であるサーフィノール１０４（商品名、エアープロダクツアンドケミカルズ社製）を０．１重量％とした混合液を用いた。
【００６６】
（実施例８）
樹脂成分を含有する分散液または溶液として、フッ素樹脂系であるポリテトラフルオロエチレンを２．５重量％、シリコーン樹脂系であるメチルシリコーンを２．５重量％、アルコール類である１−デカノールを９４．９重量％、アセチレングリコール類であるサーフィノール１０４（商品名、エアープロダクツアンドケミカルズ社製）を０．１重量％とした混合液を用いた。
【００６７】
（実施例９）
樹脂成分を含有する分散液または溶液として、シリコーン樹脂系であるアクリルシリコーンを０．５重量％、アルコール類であるメタノールを９９．５重量％とした混合液を用いた。
【００６８】
以上のプラテン１５を用いて、４０℃／２０％ＲＨ環境下において、１００万パス縁無し印刷を行った。その結果、実施例１〜９ではインク（顔料）の山積りの発生がなく、印刷物を汚すことを防止できた。但し、実施例９においては、１００万パスを超えたあたりから、若干、インク（顔料）の山積りの発生がみうけられた。一方、比較例１および２ではインク（顔料）の山積りが発生し、印刷物が汚れてしまった。
【００６９】
このことから、インク（顔料）の山積りの発生をなくすためには、プラテン１５に本発明のフッ素樹脂系、シリコーン樹脂系およびシリコーンオイルからなる群から選ばれる少なくとも一種類と、沸点１５０℃以上の溶剤で、アルコール類もしくは石油溶剤類から選ばれる少なくとも１種類の溶剤を含み、さらにＨＬＢが８未満のノニオン系界面活性剤を含んだものをプラテン１５に含浸させることで、インク（顔料）の山積りの発生をなくすことが可能となった。
【図面の簡単な説明】
【００７０】
【図１】本発明に係るインクジェット式記録装置を示す概略図である。
【図２】本発明に係るインクジェット記録方法を示す説明図である。
【図３】本発明に係るインクジェット記録方法を示す説明図である。
【図４】本発明に係るインクジェット記録方法を示す説明図である。
【図５】従来のインクジェット記録方法を示す説明図である。
【図６】従来のインクジェット記録方法を示す説明図である。
【図７】従来のインクジェット記録方法を示す説明図である。
【図８】従来のインクジェット記録方法を示す説明図である。
【符号の説明】
【００７１】
１０  インクジェット式記録装置
１１  記録ヘッド
１２  ガイド軸
１３  記録用紙（記録媒体）
１４  インク
１５  プラテン
【図１】
2005074889.tif 000005
【図２】
2005074889.tif 000006
【図３】
2005074889.tif 000007
【図４】
2005074889.tif 000008
【図５】
2005074889.tif 000009
【図６】
2005074889.tif 000010
【図７】
2005074889.tif 000011
【図８】
2005074889.tif 000012